(57)【要約】【課題】収集した運行情報をセンタに受け渡すのに利用する無線ＬＡＮのアクセスポイントと良好な通信状態で通信を行えるチャネルを、通信に使用するチャネルとして設定させることができるようにする。【解決手段】タクシーメータ５と共にタクシー車両３に搭載した無線ＬＡＮＢＯＸ７が受信した各アクセスポイントからの通信信号の信号強度に基づいて、運行情報解析装置１３が無線ＬＡＮＢＯＸ７とアクセスポイント９との通信に使用するチャネルを決定し、アクセスポイント９に設定する。設定されたチャネルを用いた通信信号は、無線ＬＡＮＢＯＸ７によって受信される。アクセスポイント９からの通信信号を受信した無線ＬＡＮＢＯＸ７は、アクセスポイント９に通信信号を送信する際に用いるチャネルを、アクセスポイント９から受信した通信信号の送信に使用されたチャネルに設定する。【選択図】図１
2019145912.tif 000002
【特許請求の範囲】
【請求項１】
車両の運行情報を収集する収集部と、
前記車両に搭載され、前記収集部が収集した前記運行情報が解析されるセンタ側のアクセスポイントとの間で、無線ＬＡＮによる通信を行う通信部と、
前記通信部において受信された無線ＬＡＮの通信信号の信号強度を、前記センタ側のアクセスポイントを含むアクセスポイント別に測定する測定部と、
前記測定部が測定したアクセスポイント別の前記通信信号の信号強度の情報と、前記センタ側のアクセスポイントを除く他の各アクセスポイントの通信にそれぞれ使用中のチャネルの情報とを含む、前記通信部の通信状態情報を、前記通信部の無線ＬＡＮによる通信を利用して前記センタに送信する情報送信部と、
前記通信部の通信に使用するチャネルを、前記通信状態情報に基づいて前記センタにおいて決定されたチャネルに設定する設定部と、
を備える車両運行情報収集装置。
【請求項２】
前記収集部は、前記車両に搭載されて該車両の走行内容に応じた賃走料金を算出し表示する賃走料金メータに設けられていて、該賃走料金メータで生成された前記車両の運行情報を収集し、前記通信部は、前記車両の入庫時に、前記収集部が収集した前記車両の運行情報を前記賃走料金メータから受け取って前記センタに送信する請求項１記載の車両運行情報収集装置。
【請求項３】
請求項１又は２記載の車両運行情報収集装置と、
前記車両運行情報収集装置の通信部が搭載された車両の前記車両運行情報収集装置の収集部が収集した運行情報が解析されるセンタに設けられ、前記車両運行情報収集装置の情報送信部により送信されて前記センタ側のアクセスポイントで受信された通信信号の通信状態情報に基づいて、前記車両運行情報収集装置の通信部の通信に使用するチャネルを決定する決定部と、
前記センタに設けられ、前記センタ側のアクセスポイントの通信設定における、前記通信部との通信に使用するチャネルの設定を、前記決定部が決定したチャネルに変更する設定変更部と、
を備える車両運行情報解析装置と、
を有する車両運行情報管理システム。
【発明の詳細な説明】
【技術分野】
【０００１】
本発明は、車両の運行情報を収集する車両運行情報収集装置に関する。
【背景技術】
【０００２】
車両運行情報収集装置は、例えば、営業目的での走行を行う車両（タクシー、貨物輸送用トラック等）に搭載される。そして、各種の目的（例えば、車両の運行管理、燃費管理、乗員の労務管理等）に利用するための車両の運行情報が、車両運行情報収集装置によって収集される。
【０００３】
車両運行情報収集装置が収集した運行情報は、従来は、可搬型の記録媒体（メモリカード等）に記録して、情報を管理するセンタに設置された運行情報の解析装置にオフラインで受け渡していた。しかし、近年では、収集した運行情報を無線でセンタの解析装置にオンラインで受け渡すことも行われている（例えば、特許文献１）。
【先行技術文献】
【特許文献】
【０００４】
【特許文献１】特開２０１６−６３２３６号公報
【発明の概要】
【発明が解決しようとする課題】
【０００５】
ところで、車両運行情報収集装置が収集した運行情報を無線でセンタに受け渡すのに、無線ＬＡＮを利用する場合は、無線ＬＡＮのアクセスポイントを車両運行情報収集装置に設定する。
【０００６】
このとき、周辺の無線ＬＡＮにおけるアクセスポイントと子機との間で行われている通信が、自らの通信の障害とならないチャネルを、通信に使用するチャネルとして設定する必要がある。
【０００７】
本発明は前記事情に鑑みなされたもので、本発明の目的は、収集した運行情報をセンタに受け渡すのに利用する無線ＬＡＮのアクセスポイントと良好な通信状態で通信を行えるチャネルを、通信に使用するチャネルとして設定させることができるようにすることにある。
【課題を解決するための手段】
【０００８】
上記目的を達成するため本発明の第１の態様による車両運行情報収集装置は、
車両の運行情報を収集する収集部と、
前記車両に搭載され、前記収集部が収集した前記運行情報が解析されるセンタ側のアクセスポイントとの間で、無線ＬＡＮによる通信を行う通信部と、
前記通信部において受信された無線ＬＡＮの通信信号の信号強度を、前記センタ側のアクセスポイントを含むアクセスポイント別に測定する測定部と、
前記測定部が測定したアクセスポイント別の前記通信信号の信号強度の情報と、前記センタ側のアクセスポイントを除く他の各アクセスポイントの通信にそれぞれ使用中のチャネルの情報とを含む、前記通信部の通信状態情報を、前記通信部の無線ＬＡＮによる通信を利用して前記センタに送信する情報送信部と、
前記通信部の通信に使用するチャネルを、前記通信状態情報に基づいて前記センタにおいて決定されたチャネルに設定する設定部と、
を備える。
【０００９】
本発明の第１の態様による車両運行情報収集装置によれば、車両に搭載された通信部において受信された無線ＬＡＮの通信信号の信号強度が測定部で測定される。この信号強度は、通信部を搭載した車両の収集部が収集した運行情報が解析されるセンタ側のアクセスポイントを含むアクセスポイント別に測定される。
【００１０】
そして、測定部が測定したアクセスポイント別の通信信号の信号強度の情報と、センタ側のアクセスポイントを除く他の各アクセスポイントの通信にそれぞれ使用中のチャネルの情報とを含む、通信部の通信状態情報を、情報送信部が通信部の無線ＬＡＮによる通信を利用してセンタに送信する。
【００１１】
このため、センタ側で、他の各アクセスポイントの通信信号の信号強度とセンタ側のアクセスポイントの通信信号の信号強度との比較結果、及び、他の各アクセスポイントの通信に使用中のチャネルから、他の各アクセスポイントの通信信号がセンタ側のアクセスポイントとの通信の障害とならないチャネルを、通信部の通信に使用するチャネルとして決定させることができる。
【００１２】
よって、通信部の通信に使用するチャネルを、設定部が、通信状態情報に基づいてセンタにおいて決定されたチャネルに設定することで、センタ側のアクセスポイントとの間で良好な通信状態で通信を行えるチャネルを、通信に使用するチャネルとして設定させることができる。
【００１３】
また、本発明の第２の態様による車両運行情報収集装置は、本発明の第１の態様による車両運行情報収集装置において、前記収集部は、前記車両に搭載されて該車両の走行内容に応じた賃走料金を算出し表示する賃走料金メータに設けられていて、該賃走料金メータで生成された前記車両の運行情報を収集し、前記通信部は、前記車両の入庫時に、前記収集部が収集した前記車両の運行情報を前記賃走料金メータから受け取って前記センタに送信する。
【００１４】
本発明の第２の態様による車両運行情報収集装置によれば、本発明の第１の態様による車両運行情報収集装置において、タクシー車両や運転代行業者の伴走車等の車両の走行内容に応じた賃走料金を算出し表示する賃走料金メータが生成した車両の運行情報を収集部が収集する。そして、タクシー車両や運転代行業者の伴走車等の車両の入庫時に、賃走料金メータから車両の運行情報を受け取った通信部が、収集部により収集された車両の運行情報をセンタに送信する。
【００１５】
このため、賃走料金メータで生成されたタクシー車両や運転代行業者の伴走車等の車両の運行情報を、無線ＬＡＮを利用してセンタに送信する場合に、センタ側のアクセスポイントとの間で良好な通信状態で通信を行えるチャネルを、通信に使用するチャネルとして設定させることができる。
【００１６】
さらに、上記目的を達成するため本発明の第３の態様による車両運行情報管理システムは、
本発明の第１又は第２の態様による車両運行情報収集装置と、
前記車両運行情報収集装置の収集部が収集した前記車両運行情報収集装置の通信部が搭載された車両の運行情報が解析されるセンタに設けられ、前記車両運行情報収集装置の情報送信部により送信されて前記センタ側のアクセスポイントで受信された通信信号の通信状態情報に基づいて、前記車両運行情報収集装置の通信部の通信に使用するチャネルを決定する決定部と、
前記センタに設けられ、前記センタ側のアクセスポイントの通信設定における、前記通信部との通信に使用するチャネルの設定を、前記決定部が決定したチャネルに変更する設定変更部と、
を備える車両運行情報解析装置と、
を有する。
【００１７】
本発明の第３の態様による車両運行情報管理システムによれば、本発明の第１又は第２の態様による車両運行情報収集装置の収集部が収集した車両運行情報収集装置の通信部が搭載された車両の運行情報が解析されるセンタに設けられた車両運行情報解析装置の決定部において、車両運行情報収集装置の情報送信部により送信されてセンタ側のアクセスポイントで受信された通信信号の通信状態情報に基づいて、車両運行情報収集装置の通信部の通信に使用するチャネルが決定される。
【００１８】
そして、センタに設けられた車両運行情報解析装置の設定変更部において、センタ側のアクセスポイントの通信設定における、車両運行情報収集装置の通信部との通信に使用するチャネルの設定が、決定部が決定したチャネルに変更される。このため、車両運行情報収集装置の設定部も、車両運行情報収集装置の通信部の通信に使用するチャネルを、決定部が決定して設定変更部が設定変更したチャネルに変更することになる。
【００１９】
したがって、車両運行情報収集装置の通信部とセンタ側のアクセスポイントとの間で良好な通信状態で通信を行えるチャネルを、通信に使用するチャネルとして、センタ側のアクセスポイントの通信設定と、車両運行情報収集装置の通信部の通信に使用するチャネルとに、それぞれ反映させることができる。
【発明の効果】
【００２０】
本発明によれば、収集した運行情報をセンタに受け渡すのに利用する無線ＬＡＮのアクセスポイントと良好な通信状態で通信を行えるチャネルを、通信に使用するチャネルとして設定させることができる。
【図面の簡単な説明】
【００２１】
【図１】本発明の一実施形態に係る運行情報管理システムの概略構成を示す説明図である。
【図２】図１の表示部に表示されるデフォルト画面を示す説明図である。
【図３】図１の表示部に表示されるメニュー画面を示す説明図である。
【図４】図１の運行情報管理システムにおいて、車両の無線ＬＡＮＢＯＸで受信された無線ＬＡＮの通信信号の信号強度の情報と各無線ＬＡＮの通信に使用中のチャネルの情報とを含む通信状態情報を、車両から無線ＬＡＮを利用して事務所のサーバに送信する様子を示す説明図である。
【図５】図１の演算部（ＣＰＵ）がＲＯＭに格納されたプログラムにしたがい実行する通信信号の信号強度測定処理の手順を示すフローチャートである。
【図６】図１の表示部に表示される自己診断画面を示す説明図である。
【図７】図１の表示部に表示される無線ＬＡＮの通信確認画面を示す説明図である。
【図８】図１の表示部に表示される無線ＬＡＮの現地調査画面を示す説明図である。
【図９】図１の運行情報解析装置のＣＰＵがＲＯＭに格納されたプログラムにしたがい実行するアクセスポイントの通信設定処理の手順を示すフローチャートである。
【発明を実施するための形態】
【００２２】
以下、本発明の一実施形態について、図面を参照して説明する。各図面を通じて同一もしくは同等の部位や構成要素には、同一もしくは同等の符号を付している。
【００２３】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２４】
図１は本発明の一実施形態に係る運行情報管理システムの概略構成を示す説明図である。図１に示す本実施形態の車両運行情報管理システム１は、タクシー車両３（請求項中の車両に相当）に搭載されるタクシーメータ（請求項中の賃走料金メータに相当）５及び無線ＬＡＮＢＯＸ７（請求項中の通信部に相当）を有している。本実施形態では、タクシーメータ５と無線ＬＡＮＢＯＸ７とで、請求項中の車両運行情報収集装置を構成している。
【００２５】
また、車両運行情報管理システム１は、無線ＬＡＮのアクセスポイント９を介して無線ＬＡＮＢＯＸ７と無線による通信を行うセンタ１１の運行情報解析装置１３（請求項中の車両運行情報解析装置に相当）を有している。
【００２６】
タクシーメータ５は、タクシー車両３の走行内容に応じた賃走料金を算出し表示するもので、設定データ格納部（ＲＯＭ）５２に格納されたプログラムにしたがって各種の処理を行う演算部（ＣＰＵ）５１を有している。
【００２７】
演算部（ＣＰＵ）５１は、実車中のタクシー車両３の賃走料金を算出する。賃走料金の算出の際には、操作部５３の操作によって入力されたタクシー車両３の営業状態（タリフ状態）が参照される。
【００２８】
また、賃走料金の算出の際には、設定データ格納部（ＲＯＭ）５２に記憶された料金制や、速度パルス入力Ｉ／Ｆ（インタフェース、以下同じ）５５に入力される速度パルスが参照される。速度パルスは、タクシー車両３の走行速度に応じて不図示の速度センサから速度パルス入力Ｉ／Ｆ５５に入力される。
【００２９】
そして、演算部（ＣＰＵ）５１は、算出した賃走料金を表示部５６に表示させる。表示部５６は、例えば、液晶パネルとタッチセンサとを組み合わせたタッチパネルによって構成することができる。
【００３０】
演算部（ＣＰＵ）５１は、賃走料金を算出し表示させる他、タクシー車両３の運行情報を収集し、営業データ格納部（ＲＡＭ）５７に記憶させる。したがって、演算部（ＣＰＵ）５１は、請求項中の収集部に相当している。
【００３１】
営業データ格納部（ＲＡＭ）５７に記憶させたタクシー車両３の運行情報は、タクシー車両３がセンタ１１に入庫した際に、メモリカードＲ／Ｗ部５４に装填された乗務員専用のメモリカード（図示せず）に書き移すようにしてもよい。
【００３２】
しかし、本実施形態では、タクシー車両３がセンタ１１に入庫した際に、営業データ格納部（ＲＡＭ）５７に記憶させたタクシー車両３の運行情報を、無線ＬＡＮを利用して、無線ＬＡＮＢＯＸ７からセンタ１１側のアクセスポイント９に送信する。詳細については後述する。
【００３３】
演算部（ＣＰＵ）５１が収集するタクシー車両３の運行情報は、例えば、タクシー車両３の実車中及び空車中の総走行距離、実車中の走行距離、実車となった営業回数、賃走料金の合計を算出するための基本料金や追加料金の課金回数等を示す指数データを含んでいる。この指数データは、随時最新の値に更新される。
【００３４】
なお、タクシー車両３の運行情報は運転日報データを含んでいてもよい。運転日報データは、タクシー車両３の燃費管理や乗務員の労務管理等に用いるデータである。運転日報データは、乗務員の１回の乗務中における運転状態を含んでいる。運転状態は、例えば、走行速度の推移、休憩の開始及び終了時間等を含んでいる。運転日報データは、乗務員の１回の乗務中に時系列で収集されて営業データ格納部（ＲＡＭ）５７に記憶される。
【００３５】
さらに、演算部（ＣＰＵ）５１は、操作部５３の操作によってセンタ１１の車庫（図示せず）への入庫が指定されると、営業データ格納部（ＲＡＭ）５７に記憶させたタクシー車両３の運行情報を、外部Ｉ／Ｆ５８を介して無線ＬＡＮＢＯＸ７に出力する。
【００３６】
図２は、表示部５６に表示されるデフォルト画面を示す説明図である。デフォルト画面は、タクシーメータ５のタリフ状態が空車のときに表示部５６に表示される。なお、デフォルト画面の右端に表示された「空車」、「実車」、「支払」、「高速」、「迎車」は、表示部５６の右側に配置された５つのタリフボタン（図示せず）に割り当てられたタリフを示している。現在のタクシーメータ５のタリフ状態は、表示部５６の左上に表示される。
【００３７】
なお、タリフボタンに割り当てるタリフは、操作部５３の操作によって変更することができる。
【００３８】
また、デフォルト画面の下部に表示された「女性」、「男性」、「早割」、「貸切」、「予約」は、タクシーメータ５のタリフ状態が実車や空車のタリフ状態のときに、タクシー車両３の運行情報として入力する情報やイベントを示している。さらに、デフォルト画面の中央に表示された「メニュー」、「入庫」は、タクシーメータ５で行う処理の選択肢を示している。
【００３９】
これらの「女性」、「男性」、「早割」、「貸切」、「予約」、「メニュー」、「入庫」は、タクシー車両３の乗務員がタッチ操作することで入力が受け付けられる表示ボタンである。この表示ボタンも、タクシーメータ５の操作部５３に含まれる。
【００４０】
そして、実車のタリフ状態のときに「女性」や「男性」、「早割」の表示ボタンがタッチ操作されると、乗客として「女性」や「男性」の人数が登録され、あるいは、運賃の算出に用いる料金制に「早割」が適用される。
【００４１】
また、空車のタリフ状態のときに「貸切」や「予約」の表示ボタンがタッチ操作されると、タクシー車両３のダッシュボード上のウインドウサイン（図示せず）の表示が「空車」から「貸切」や「予約」に切り替えられる。そして、「貸切」や「予約」のイベントが運行情報として収集され、営業データ格納部（ＲＡＭ）５７に記憶される。
【００４２】
さらに、空車のタリフ状態のときに「メニュー」の表示ボタンがタッチ操作されると、表示部５６の表示がデフォルト画面から後述するメニュー画面に切り替わる。また、空車のタリフ状態のときに「入庫」の表示ボタンがタッチ操作されると、タクシーメータ５において入庫処理が行われる。入庫処理では、営業データ格納部（ＲＡＭ）５７に記憶させたタクシー車両３の運行情報が、外部Ｉ／Ｆ５８を介して無線ＬＡＮＢＯＸ７に出力される。
【００４３】
図３は、表示部５６に表示されるメニュー画面を示す説明図である。メニュー画面は、図２のデフォルト画面において「メニュー」の表示ボタンがタッチ操作されると表示部５６に表示される。
【００４４】
メニュー画面は、タクシーメータ５の保守に関するメニューを選択するための画面である。メニュー画面には、「システム設定」、「調整機能」、「自己診断」、「検定モード」、「印字」、「車両設定」、「メンテナンスモード」、「Ｖｅｒ（バージョン）確認」、「Ｇ（加速度）センサ＿ジャイロ」の９つのメニューの表示ボタンが表示される。
【００４５】
図１に示す無線ＬＡＮＢＯＸ７は、設定されたＳＳＩＤ（識別名）のアクセスポイントとの間で、無線ＬＡＮによる通信を行う。本実施形態では、運行情報解析装置１３が接続されたセンタ１１側のアクセスポイント９のＳＳＩＤ（識別名）やパスワード（暗号化キー）が、無線ＬＡＮＢＯＸ７に設定される。
【００４６】
ＳＳＩＤやパスワードの設定は、無線ＬＡＮＢＯＸ７が自前で入力部（図示せず）を有している場合は、その入力部を用いて行うことができる。無線ＬＡＮＢＯＸ７が自前の入力部を持たない場合は、ＳＳＩＤやパスワードの設定に、タクシーメータ５の操作部５３を利用してもよい。その場合、操作部５３から入力されたＳＳＩＤやパスワードは、演算部（ＣＰＵ）５１及び外部Ｉ／Ｆ５８を介して無線ＬＡＮＢＯＸ７に入力される。
【００４７】
なお、無線ＬＡＮＢＯＸ７が通信相手のアクセスポイントに通信信号を送信する際に用いるチャネルは、運用開始時はデフォルトのチャネルに設定される。また、運用開始後は、無線ＬＡＮＢＯＸ７が受信した通信相手のアクセスポイントからの通信信号の送信に使用されたチャネルに設定される。
【００４８】
センタ１１の運行情報解析装置１３は、例えば、汎用のパーソナルコンピュータ（パソコン）で構成することができる。
【００４９】
パソコンの不図示のＣＰＵは、ＲＯＭ（図示せず）に格納されたプログラムを実行することで、無線ＬＡＮＢＯＸ７から送信されたタクシー車両３の運行情報を、アクセスポイント９を通じて受け取って解析する。
【００５０】
そして、パソコンのＣＰＵは、ＲＯＭのプログラムを実行することで、タクシー車両３の運行情報の解析結果から、例えば、乗務員の運転日報を作成したり、タクシー車両３の燃費管理や乗務員の労務管理等に用いるデータを作成することができる。
【００５１】
なお、アクセスポイント９がタクシー車両３の無線ＬＡＮＢＯＸ７との通信に用いるチャネルは、運行情報解析装置１３から入力されてアクセスポイント９に設定される。
【００５２】
ここで、無線ＬＡＮＢＯＸ７との通信に用いるチャネルは、無線ＬＡＮＢＯＸ７において受信される他のアクセスポイント（図示せず）からの通信信号が、無線ＬＡＮＢＯＸ７とアクセスポイント９との通信の障害とならないチャネルとする必要がある。そのためには、タクシー車両３の無線ＬＡＮＢＯＸ７がアクセスポイント９と通信する場所の通信状態を調べる必要がある。
【００５３】
特定の場所における通信状態の測定は、例えば、専用の測定機器を携帯型のパーソナルコンピュータに接続して行うことができる。しかし、無線ＬＡＮＢＯＸ７は電波を遮断又は反射するタクシー車両３に搭載されているので、専用の測定機器が屋外で測定した通信状態が、タクシー車両３の無線ＬＡＮＢＯＸ７の通信状態と一致するとは限らない。
【００５４】
そこで、本実施形態の車両運行情報管理システム１では、図４の説明図に示すように、タクシーメータ５の操作部５３の操作によって、タクシーメータ５の演算部（ＣＰＵ）５１が無線ＬＡＮＢＯＸ７の通信状態を測定し、アクセスポイント９を通じてセンタ１１の運行情報解析装置１３に送信する構成とした。
【００５５】
以下、タクシーメータ５の演算部（ＣＰＵ）５１が設定データ格納部（ＲＯＭ）５２に格納されたプログラムにしたがって実行する無線ＬＡＮＢＯＸ７の通信状態の測定処理について、図５のフローチャートを参照して説明する。
【００５６】
まず、タクシーメータ５の演算部（ＣＰＵ）５１は、タクシーメータ５のタリフ状態が空車であるか否かを確認し（ステップＳ１）、空車でない場合は（ステップＳ１でＮＯ）、タクシーメータ５のタリフ状態が空車になるまでステップＳ１をリピートする。
【００５７】
また、タクシーメータ５のタリフ状態が空車である場合は（ステップＳ１でＹＥＳ）、図３のメニュー画面で「自己診断」の表示ボタンがタッチ操作（自己診断押下）されたか否かを確認し（ステップＳ３）、「自己診断」の表示ボタンがタッチ操作されていない状態で（ステップＳ３でＮＯ）、メニュー画面左下の「終了」の表示ボタンがタッチ操作（終了ボタン押下）されたら（ステップＳ５）、ステップＳ１にリターンする。
【００５８】
一方、「自己診断」の表示ボタンがタッチ操作された場合は（ステップＳ３でＹＥＳ）、表示部５６に表示される自己診断画面において「無線ＬＡＮ」の表示ボタンがタッチ操作（無線ＬＡＮ押下）されたか否かを確認する（ステップＳ７）。
【００５９】
図６は、表示部５６に表示される自己診断画面を示す説明図である。自己診断画面は、図３のメニュー画面で「自己診断」の表示ボタンがタッチ操作されると表示部５６に表示される。
【００６０】
自己診断画面は、タクシーメータ５の各部の自己診断に関するメニューを選択するための画面である。自己診断画面には、「表示部」、「Ｒ／Ｗ部」、「無線ＬＡＮ」の３つの選択肢の表示ボタンが表示される。
【００６１】
そして、図６の自己診断画面で「無線ＬＡＮ」の表示ボタンがタッチ操作されていない状態で（ステップＳ７でＮＯ）、自己診断画面左下の「戻る」の表示ボタンがタッチ操作（戻るボタン押下）されたら（ステップＳ９）、表示部５６の表示を図３のメニュー画面に戻してステップＳ３にリターンする。
【００６２】
一方、図５に示すように、「無線ＬＡＮ」の表示ボタンがタッチ操作された場合は（ステップＳ７でＹＥＳ）、無線ＬＡＮＢＯＸ７の自己診断調査を開始する（ステップＳ１１）。
【００６３】
無線ＬＡＮＢＯＸ７の自己診断調査では、タクシーメータ５の演算部（ＣＰＵ）５１は、外部Ｉ／Ｆ５８を介して無線ＬＡＮＢＯＸ７に、自己診断要求を出力する。そして、自己診断要求に呼応して無線ＬＡＮＢＯＸ７が出力する無線ＬＡＮＢＯＸ７の動作状態を、外部Ｉ／Ｆ５８を介して取り込んだら、自己診断調査を終了する（ステップＳ１３）。
【００６４】
図７は、表示部５６に表示される無線ＬＡＮの通信確認画面を示す説明図である。無線ＬＡＮの通信確認画面は、図６の自己診断画面で「無線ＬＡＮ」の表示ボタンがタッチ操作されると表示部５６に表示される。
【００６５】
無線ＬＡＮの通信確認画面は、無線ＬＡＮＢＯＸ７が出力する無線ＬＡＮＢＯＸ７の動作状態を表示するための画面である。
【００６６】
無線ＬＡＮの通信確認画面には、無線ＬＡＮＢＯＸ７（ＷＬＡＮＢＯＸ）のハードウェアの動作状態の正常／異常（ＯＫ／ＮＧ）、無線ＬＡＮＢＯＸ７（ＷＬＡＮＢＯＸ）のソフトウェアのエラーの有無（ＯＫ／ＮＧ）、アクセスポイント９のＳＳＩＤやパスワード（暗号化キー）の設定の有無（ＯＫ／ＮＧ）が表示される。
【００６７】
また、無線ＬＡＮの通信確認画面には、無線ＬＡＮＢＯＸ７のＤＨＣＰサーバ（無線ＬＡＮ内でのＩＰアドレス自動付与）機能の正常／異常（ＯＫ／ＮＧ）、無線ＬＡＮＢＯＸ７のＦＴＰサーバ（ファイル転送サーバ）との接続状態（ＯＫ／ＮＧ）、無線ＬＡＮＢＯＸ７のＦＴＰサーバ（ファイル転送サーバ）へのログイン状態（ＯＫ／ＮＧ）、無線ＬＡＮＢＯＸ７のＦＴＰサーバ（ファイル転送サーバ）へのデータ送信エラーの有無（ＯＫ／ＮＧ）が表示される。
【００６８】
次に、タクシーメータ５の演算部（ＣＰＵ）５１は、図７の無線ＬＡＮの通信確認画面で画面下部の「現地調査」の表示ボタンがタッチ操作（現地調査押下）されたか否かを確認する（ステップＳ１５）。
【００６９】
そして、図７の無線ＬＡＮの通信確認画面で「現地調査」の表示ボタンがタッチ操作されていない状態で（ステップＳ１５でＮＯ）、無線ＬＡＮの通信確認画面左下の「戻る」の表示ボタンがタッチ操作（戻るボタン押下）されたら（ステップＳ１７）、表示部５６の表示を図６の自己診断画面に戻してステップＳ７にリターンする。
【００７０】
一方、図５に示すように、「現地調査」の表示ボタンがタッチ操作された場合は（ステップＳ１５でＹＥＳ）、自己診断調査の際に無線ＬＡＮＢＯＸ７から取り込んだ無線ＬＡＮＢＯＸ７の動作状態から、無線ＬＡＮＢＯＸ７において受信されるアクセスポイント９及び他のアクセスポイント（図示せず）からの通信信号の信号強度を抽出する。そして、抽出した各アクセスポイントからの通信信号の信号強度を、現地調査の結果として表示部５６に表示する（ステップＳ１９）。
【００７１】
なお、無線ＬＡＮＢＯＸ７から取り込んだ無線ＬＡＮＢＯＸ７の動作状態は、無線ＬＡＮＢＯＸ７において受信された各アクセスポイントからの通信信号が使用しているチャネル（１ｃｈ〜１４ｃｈ）の情報を含んでいる。
【００７２】
図８は、表示部５６に表示される無線ＬＡＮの現地調査画面を示す説明図である。無線ＬＡＮの現地調査画面は、図７の無線ＬＡＮの通信確認画面で画面下部の「現地調査」の表示ボタンがタッチ操作されると表示部５６に表示される。
【００７３】
無線ＬＡＮの現地調査画面は、無線ＬＡＮＢＯＸ７において受信された各アクセスポイントからの通信信号の信号強度を表示するための画面である。
【００７４】
無線ＬＡＮの現地調査画面には、無線ＬＡＮＢＯＸ７において受信された各アクセスポイント（アクセスポイントａａａａ〜アクセスポイントｄｄｄｄ）の通信信号の信号強度が表示される。図８に示す例では、アクセスポイントｃｃｃｃが図１のアクセスポイント９を示している。
【００７５】
現地調査の結果を表示部５６に表示したら、図５に示すように、タクシーメータ５の演算部（ＣＰＵ）５１は、表示した現地調査の結果（各アクセスポイントの通信信号の信号強度）を、各アクセスポイントの通信に使用中のチャネルの情報と共に、外部Ｉ／Ｆ５８を介して無線ＬＡＮＢＯＸ７に出力する。
【００７６】
そして、無線ＬＡＮＢＯＸ７に、現地調査の結果（各アクセスポイントの通信に使用中のチャネルの情報を含む）を、アクセスポイント９を介してセンタ１１の運行情報解析装置１３に送信させる（ステップＳ２１）。
【００７７】
続いて、タクシーメータ５の演算部（ＣＰＵ）５１は、現地調査の結果がセンタ１１の運行情報解析装置１３により正常に受信されたか否かを確認する（ステップＳ２３）。現地調査の結果が正常に受信されたか否かは、運行情報解析装置１３からアクセスポイント９及び無線ＬＡＮＢＯＸ７を介してＡＣＫ（アクノリッジ）とＮＡＫ（ネガティブアクノリッジ）のどちらが入力されたかにより、確認することができる。
【００７８】
ＮＡＫが入力されて現地調査の結果が運行情報解析装置１３により正常に受信されなかったときに（ステップＳ２３でＮＯ）、図８の無線ＬＡＮの現地調査画面左下の「戻る」の表示ボタンがタッチ操作（戻るボタン押下）されたら（ステップＳ２５）、表示部５６の表示を図７の無線ＬＡＮの通信確認画面に戻してステップＳ１５にリターンする。
【００７９】
また、ＡＣＫが入力されて現地調査の結果が運行情報解析装置１３により正常に受信された場合は（ステップＳ２３でＹＥＳ）、一連の処理を終了する。
【００８０】
以上の説明からも明らかなように、本実施形態では、タクシーメータ５の演算部（ＣＰＵ）５１が行う、図５のフローチャートにおけるステップＳ１５及びステップＳ１９が、請求項中の測定部に対応する処理となっている。また、本実施形態では、タクシーメータ５の演算部（ＣＰＵ）５１が行う、図５中のステップＳ２１が、請求項中の情報送信部に対応する処理となっている。
【００８１】
さらに、本実施形態では、無線ＬＡＮＢＯＸ７が通信相手のアクセスポイントに通信信号を送信する際に用いるチャネルを、無線ＬＡＮＢＯＸ７が受信した通信相手のアクセスポイントからの通信信号の送信に使用されたチャネルに設定するための構成が、請求項中の設定部に相当している。
【００８２】
次に、センタ１１の運行情報解析装置１３を構成するパソコンのＣＰＵがＲＯＭに格納されたプログラムにしたがって実行する、アクセスポイントの通信設定処理の手順について、図９のフローチャートを参照して説明する。
【００８３】
まず、運行情報解析装置１３のＣＰＵは、現地調査の結果（各アクセスポイントの通信に使用中のチャネルの情報を含む）を正常に受信したか否かを確認する（ステップＳ３１）。
【００８４】
正常に受信していない場合は（ステップＳ３１でＮＯ）、アクセスポイント９を介してタクシーメータ５の無線ＬＡＮＢＯＸ７にＮＡＫ（ネガティブアクノリッジ）を送信した後（ステップＳ３３）、一連の処理を終了する。
【００８５】
一方、正常に受信した場合は（ステップＳ３１でＹＥＳ）、アクセスポイント９を介してタクシーメータ５の無線ＬＡＮＢＯＸ７にＡＣＫ（アクノリッジ）を送信した後（ステップＳ３５）、受信した現地調査の結果（各アクセスポイントの通信に使用中のチャネルの情報を含む）を解析する（ステップＳ３７）。
【００８６】
例えば、図８に示す例では、アクセスポイントｃｃｃｃ（アクセスポイント９）の通信信号の信号強度（−５５ｄＢ）がアクセスポイントｄｄｄｄの通信信号の信号強度（−４０ｄＢ）よりも弱い。
【００８７】
このため、運行情報解析装置１３のＣＰＵは、受信した現地調査の結果を解析して、アクセスポイントｃｃｃｃ（アクセスポイント９）の通信は、アクセスポイントｄｄｄｄの通信との干渉を避けるために、アクセスポイントｄｄｄｄの通信で使用していない空きチャネルを使用することが好ましいと判断する。
【００８８】
なお、アクセスポイントｄｄｄｄの空きチャネルが全て、アクセスポイントｃｃｃｃ（アクセスポイント９）よりも通信信号の信号強度（−５５ｄＢ）が弱いアクセスポイントａａａａ（−７０ｄＢ）とアクセスポイントｂｂｂｂ（−８０ｄＢ）とのどちらかで使用されている場合もある。
【００８９】
その場合、運行情報解析装置１３のＣＰＵは、通信信号の信号強度が弱いアクセスポイントｂｂｂｂ（−８０ｄＢ）で使用中のチャネルを、アクセスポイントｃｃｃｃ（アクセスポイント９）の通信に使用することが好ましいと判断してもよい。
【００９０】
このようにして、受信した現地調査の結果（各アクセスポイントの通信に使用中のチャネルの情報を含む）を解析したら、運行情報解析装置１３のＣＰＵは、図９に示すように、解析を完了し、アクセスポイント９の通信に使用するチャネルを、解析により求めたチャネル（設定値＝チャネル番号）に決定する（ステップＳ３９）。
【００９１】
そして、アクセスポイント９に、タクシー車両３の無線ＬＡＮＢＯＸ７との通信に用いるチャネルとして、決定したチャネルを設定した後（ステップＳ４１）、一連の処理を終了する。
【００９２】
以上の説明からも明らかなように、本実施形態では、運行情報解析装置１３のパソコンのＣＰＵが行う、図９のフローチャートにおけるステップＳ３９が、請求項中の決定部に対応する処理となっている。また、本実施形態では、運行情報解析装置１３のパソコンのＣＰＵが行う、図９中のステップＳ４１が、請求項中の設定変更部に対応する処理となっている。
【００９３】
このように構成された本実施形態の車両運行情報管理システム１では、タクシー車両３に搭載された無線ＬＡＮＢＯＸ７によって受信された各アクセスポイントからの通信信号の信号強度が、タクシー車両３のタクシーメータ５で測定される。
【００９４】
そして、タクシーメータ５で測定された各アクセスポイントの通信信号の信号強度と通信に使用中のチャネルの情報とが、無線ＬＡＮＢＯＸ７からアクセスポイント９を介してセンタ１１の運行情報解析装置１３に送信されて、無線ＬＡＮＢＯＸ７とアクセスポイント９との通信に使用するチャネルが運行情報解析装置１３で決定される。
【００９５】
決定されたチャネルは運行情報解析装置１３によりアクセスポイント９に設定される。このため、アクセスポイント９は、無線ＬＡＮＢＯＸ７との間の無線ＬＡＮによる通信を、設定されたチャネルを用いて行う。
【００９６】
以上に説明した本実施形態の車両運行情報管理システム１では、タクシーメータ５と共にタクシー車両３に搭載した無線ＬＡＮＢＯＸ７が受信した各アクセスポイントからの通信信号の信号強度に基づいて、運行情報解析装置１３が、無線ＬＡＮＢＯＸ７とアクセスポイント９との通信に使用するチャネルを決定し、アクセスポイント９に設定する。
【００９７】
設定されたチャネルを用いた通信信号は、無線ＬＡＮＢＯＸ７によって受信される。アクセスポイント９からの通信信号を受信した無線ＬＡＮＢＯＸ７は、アクセスポイント９に通信信号を送信する際に用いるチャネルを、アクセスポイント９から受信した通信信号の送信に使用されたチャネルに設定する。
【００９８】
このため、無線ＬＡＮＢＯＸ７が実際に受信する通信信号の信号強度に基づいて、無線ＬＡＮＢＯＸ７がアクセスポイント９と良好な通信状態で通信を行えるチャネルを決定し、無線ＬＡＮＢＯＸ７とアクセスポイント９との通信設定に反映させることができる。
【００９９】
なお、本実施形態では、タクシーメータ５で収集したタクシー車両３の運行情報を、無線ＬＡＮＢＯＸ７からアクセスポイント９を介してセンタ１１の運行情報解析装置１３に送信する車両運行情報管理システム１を例に取って説明した。
【０１００】
しかし、本発明は、タクシーメータ５以外の賃走料金メータで収集した運行情報を無線ＬＡＮによりセンタ側に送信する運行情報管理システムにおいても、適用可能である。
【０１０１】
具体的には、例えば、運転代行業者が運転代行料金を算出するために伴走車に搭載する代行料金メータで収集した運転代行車両や運転代行者に係る運行情報を、無線ＬＡＮによりアクセスポイントを介して、運転代行業者の運行情報を管理するセンタの運行情報解析装置に送信する車両運行情報管理システムにも、本発明を適用することができる。
【０１０２】
また、タクシーメータ５のような賃走料金メータでなく、車両で発生した運行情報を収集する単機能の運行情報収集装置から、無線ＬＡＮによりアクセスポイントを介してセンタの運行情報解析装置に運行情報を送信する車両運行情報管理システムにも、本発明を適用することができる。
【産業上の利用可能性】
【０１０３】
本発明は、車両の運行情報収集装置で収集した運行情報を無線ＬＡＮによりアクセスポイントを介してセンタの運行情報解析装置に送信する運行情報管理システムに適用して極めて有用である。
【符号の説明】
【０１０４】
１  車両運行情報管理システム
３  タクシー車両（車両）
５  タクシーメータ（賃走料金メータ、車両運行情報収集装置）
７  無線ＬＡＮＢＯＸ（通信部、設定部、車両運行情報収集装置）
９  アクセスポイント
１１  センタ
１３  運行情報解析装置（決定部、設定変更部、車両運行情報解析装置）
５１  演算部（ＣＰＵ、収集部、測定部、情報送信部）
５２  設定データ格納部（ＲＯＭ）
５３  操作部
５４  メモリカードＲ／Ｗ部
５５  速度パルス入力Ｉ／Ｆ
５６  表示部
５７  営業データ格納部（ＲＡＭ）
５８  外部Ｉ／Ｆ
【図１】
2019145912.tif 000003
【図２】
2019145912.tif 000004
【図３】
2019145912.tif 000005
【図４】
2019145912.tif 000006
【図５】
2019145912.tif 000007
【図６】
2019145912.tif 000008
【図７】
2019145912.tif 000009
【図８】
2019145912.tif 000010
【図９】
2019145912.tif 000011